(57)【特許請求の範囲】
【請求項１】
第１の材料の細長い中央部分と、第２の材料の一対の端部キャップおよび柄とを備え、前記中央部分は、前記柄を覆うが、前記柄から離間される中空のエラストマ袋状体を備え、前記柄と前記エラストマ袋状体との間に設けられる空間の体積を有するギャップを画定している、動物用噛み具であって、
前記柄は、前記一対の端部キャップに連結する端部を含み、前記柄と前記エラストマ袋状体との間の前記ギャップは、材料を含んでいない中空であり、
前記袋状体は、長手方向軸と内面とを含み、前記柄は、長手方向軸と外面とを含み、前記長手方向軸に沿う前記袋状体の前記内面は、前記柄の前記外面に対して凹んでおり、
前記細長い中央部分は、前記端部キャップが前記柄に連結されるときに、前記端部キャップによって長さが圧縮され、
前記端部キャップは、前記柄の前記端部を噛む動作から保護する
ことを特徴とする動物用噛み具。
【請求項２】
請求項１に記載の動物用噛み具であって、
前記中央部分は、外部繊維質層と、前記外部繊維質層のための裏当て層と、前記袋状体とを備えることを特徴とする動物用噛み具。
【請求項３】
請求項２に記載の動物用噛み具であって、
前記裏当て層は、前記外部繊維質層を前記袋状体に固着させることを特徴とする動物用噛み具。
【請求項４】
請求項２または請求項３に記載の動物用噛み具であって、
前記外部繊維質層は、フェルトであることを特徴とする動物用噛み具。
【請求項５】
請求項２〜４のいずれかに記載の動物用噛み具であって、
前記裏当て層は、熱可塑性材料を含むことを特徴とする動物用噛み具。
【請求項６】
請求項１〜５のいずれかに記載の動物用噛み具であって、
前記袋状体は、熱可塑性エラストマまたは熱硬化性エラストマを含んでいることを特徴とする動物用噛み具。
【請求項７】
請求項１〜６のいずれかに記載の動物用噛み具であって、
前記一対の端部キャップの少なくとも１つは、前記柄の外側に凹部を含み、前記中央部分は、端部を含み、前記中央部分の前記端部は、前記凹部に係合及び嵌合し、動物による前記端部へのアクセスを防止することを特徴とする動物用噛み具。
【請求項８】
動物用噛み具を製造する方法であって、
中空の袋状体を備える細長い中央部分であって、２つの端部を有する、細長い中央部分を設ける工程と、
一対の端部キャップであって、該一対の端部キャップはそれぞれ、前記中央部分の前記２つの端部のいずれかを受容する凹んだ部分を有する、一対の端部キャップを設ける工程と、
前記一対の端部キャップに連結する端部を有する柄を設ける工程と、
前記一対の端部キャップの一方を前記柄に取り付ける工程と、
前記柄を覆って前記中央部分を配置する工程と、
前記一対の端部キャップの他方を前記柄に取り付ける工程であって、前記中央部分の前記２つの端部の各々は、前記一対の端部キャップの一方における凹んだ部分に係合する、前記一対の端部キャップの他方を前記柄に取り付ける工程とを備え、
前記袋状体は長手方向軸と内面とを含み、前記柄は長手方向軸と外面とを含み、前記長手方向軸に沿った前記袋状体の前記内面は、前記柄の前記外面に対して凹んでおり、前記袋状体の前記内面は、材料を含まない第１の距離によって前記柄の前記外面と離間されており、
前記細長い中央部分は、前記端部キャップが前記柄に取り付けられるときに、前記端部キャップによって長さが圧縮され、前記袋状体の前記内面は、前記第１の距離よりも大きい第２の距離によって前記柄の前記外面から離間され、
前記端部キャップは、前記柄の端部を噛む動作から保護する
ことを特徴とする方法。
【請求項９】
請求項８に記載の方法であって、
前記柄と前記一対の端部キャップとは、機械的に、または熱可塑性材溶着によって取り付けられることを特徴とする方法。
【請求項１０】
請求項８または請求項９に記載の方法であって、
前記一対の端部キャップの１つまたは両方は、前記柄の端部の一方または両方の上に成形された雄ねじと、前記一対の端部キャップの一方または両方の相補的な雌ねじとを設けることによって、前記柄にねじ込まれることが可能であることを特徴とする方法。
【請求項１１】
請求項８〜１０のいずれかに記載の方法であって、
前記柄と前記一対の端部キャップとは、ホットプレート溶着、ホットガス溶着、振動溶着、超音波溶着、電磁誘導溶着、電子ビーム溶着、レーザ溶着、赤外線溶着、マイクロ波溶着、無線周波数溶着、およびスピン溶着のうちの１つによって取り付けられることを特徴とする方法。
【請求項１２】
請求項８〜１１のいずれかに記載の方法であって、
前記柄は、前記一対の端部キャップの一方と一体成形されることを特徴とする方法。
【請求項１３】
請求項８〜１２のいずれかに記載の方法であって、
前記中央部分は、前記袋状体を覆う、外部繊維質層と前記外部繊維質層のための裏当て層とをさらに備えることを特徴とする方法。
【発明の詳細な説明】
【発明の詳細な説明】
【０００１】
［関連出願の相互参照］
本願は、２００７年１０月１０日に出願された米国特許出願第１１／８７０，０３７号の出願日の利益を主張し、米国特許出願第１１／８７０，０３７号の教示を参照によって本願に援用する。
［分野］
本発明は、成形されたペット用玩具に関し、より具体的には、比較的軟質で細長く、かつ、圧縮可能な中央部分と、一対の比較的硬質でより耐久性がある端部キャップとを備え得る成形された犬用噛み具に関する。さらに、本発明は、種々の方法によって構成部品から組み立てられ得る「犬用の骨」構造の使用に関する。
［背景］
ほとんどの犬は、物を噛むことを楽しむが、好みは、好まれる物質の硬さに関して変わる可能性がある。一部の犬は、例えば牛の骨、木材、およびナイロンなどの非常に硬い材料を噛むことを好むが、他の犬は、例えばポリウレタンまたはゴムなどの軟質の噛み具を好む。一部の犬は、その年齢のために、非常に硬い物質を噛むことができない可能性がある。若い犬は、歯の発達が不十分である可能性がある一方、老齢の犬は、歯肉を病んでいるか、または、歯の一部を喪失している可能性がある。
【０００２】
食用の犬用噛み具が市販されているが、食用の犬用噛み具は、比較的短い賞味期限を有するので、頻繁な間隔で小売店によって交換されなければならない。しかし他の従来技術の犬用噛み具は、構造的完全性に欠ける可能性があることにより、取扱いおよび出荷中に破損し易い。
【０００３】
例えば犬用噛み具などのペット用玩具は、ストリップまたは玩具の形態またはさらに骨形状で製造されてもよく、犬がペット用玩具を容易に拾い上げることができるように、一般的に、大きな端部と小さく細長い柄とを有している。端部は、一般的に、球状であり、顆状突起の形状であってよい。犬は、一般的に、端部を噛むために、足の間に犬用噛み具を保持することになり、細長い形状は、端部に対する容易なアクセスを可能にして、興味を維持する。
［概要］
第１の例示的な実施形態では、本開示は、第１の材料の細長い中央部分と、第２の材料の一対の端部キャップおよび柄とを備える動物用噛み具を対象とし、前記中央部分は、前記柄を覆うが、前記柄から離間するエラストマ袋状体を備え、前記柄は、前記端部キャップを連結する。袋状体は、長手方向軸と内面とを含んでもよく、柄は、長手方向軸と外面とを含んでもよく、長手方向軸に沿う袋状体の内面は、柄の外面に対して凹んでいる。
【０００４】
第２の例示的な実施形態では、本開示は、動物用噛み具を製造する方法に関しており、この方法は、袋状体を含む細長い中央部分であって、２つの端部を有する、細長い中央部分を設けることと、一対の端部キャップであって、端部キャップがそれぞれ、前記中央部分の端部のいずれかを受容する凹部を有する、一対の端部キャップを設けることとを備えている。この方法は、端部キャップに連結する柄を設けることと、一対の端部キャップの一方を柄に取付けることと、柄を覆って中央部分を配置することとが続いてもよい。その後、一対の端部キャップの他方が柄に取付けられてもよく、中央部分の端部はそれぞれ、端部キャップの凹部に係合する。袋状体は、長手方向軸と内面とを含んでもよく、柄は、長手方向軸と外面と内面とを含んでもよい。
【０００５】
エラストマ袋状体は、スポーツボールの形状および／または質感の魅力的なデザインを有する１つまたは複数の材料の外部層を含んでもよい。袋状体は、動物用噛み具の中央部分が容易に圧縮され得るように、柄の少なくとも一部分の上に緩く嵌るように形成され、かつ、その少なくとも一部分から離間されてもよい。動物用噛み具の中央部分が容易に圧縮され得るのは、柄が柄の長手方向軸に沿って凸状であるのに比べて、袋状体が、袋状体の長手方向軸に沿ってより凹んだ形状の内面を有するためである可能性がある。さらに、外部層は、袋状体の外面を覆う１つまたは複数の軟質カバー層を含んでもよい。外部層は繊維質材料を備えてもよい。
【０００６】
関連する実施形態では、端部キャップを中央の柄に取り付ける技法は、インサート成形、接着剤または化学結合、溶融結合、機械式取付け、またはこうした方法の組み合わせを含んでもよい。１つの例示的な実施形態では、端部キャップは、柄の端部の一方または両方の上に成形された雄ねじと、端部キャップの一方または両方の相補的な雌ねじとを設けることによって、柄に取付けられてもよい。
【図面の簡単な説明】
【０００７】
例示を目的として提供され、本発明のあらゆる態様を制限するものとして考えられるべきでない添付の図面を参照して、以下の詳細な説明はよりよく理解され得る。
【図１】本発明に係る動物用噛み具の第１の例示的な実施形態の斜視図である。
【図２】本発明に係る動物用噛み具についての別のデザインの第２の例示的な実施形態の斜視図である。
【図３】本発明に係る犬用噛み具についての別のデザインの第３の例示的な実施形態の斜視図である。
【図４】本発明に係る動物用噛み具についての別のデザインの第４の例示的な実施形態の斜視図である。
【図５】本発明に係る動物用噛み具についての別のデザインの第５の例示的な実施形態の斜視図である。
【図６】ペット用噛み具を組み立てる１つの手段を図示する、図５の分解図である。
【図７】他の取り付け方法によってどのように組み立てが達成され得るかを図示する、図１の断面図である。
【図８】端部キャップと、本発明の犬用噛み具の中央部分を備える袋状体とを取り付ける１つの手段を図示する、図１の断面図である。
【図９】中央部分を貫通する、図３の動物用噛み具の拡大断面図である。
【発明を実施するための形態】
【０００８】
［詳細な説明］
本発明の種々の実施形態に共通する要素について、実施形態間の数字の参照文字は、不変に保たれるが、存在する数字の参照文字に英数字の文字を付加することによって区別される。換言すると、例えば、第１の実施形態において１０Ａとして参照される要素は、相応して、後続の実施形態について１０Ｂ、１０Ｃなどとして参照される。したがって、実施形態の記述が、ある要素を参照するために参照文字を使用する場合、その参照文字は、英数字の文字によって区別されるのと同様に、要素が共通である他の実施形態にも適用される。
【０００９】
本発明によれば、動物用噛み具を製造する方法が開示される。さらに、第１材料の細長い中央部分と、第２材料の一対の端部キャップとを備え得る犬用噛み具が開示される。端部キャップは、例えば色、質感、硬さ、靭性、栄養価、風味、匂い、水分レベルなどの１つまたは複数の特性によって、中央部分と異なってもよいし、互いに異なってもよい。端部キャップは、中央の柄によって連結されてもよく、中央部分は、袋状体を覆う外部層の複合物を備えてもよく、袋状体は、柄を覆うが柄から離間されてもよい。
【００１０】
図１は、細長い中央部分２０Ａと、端部キャップ３０Ａおよび４０Ａとを備える動物用噛み具１０Ａの第１の例示的な実施形態を斜視図で図示している。中央部分２０Ａは、一般的に、細長い形状であってもよく、また、中空であり、端部キャップ３０Ａ，４０Ａを連結し得る柄（図示せず）を覆ってもよい。図２〜６に示すように、中央部分は、種々の魅力的な形状および／またはデザインを有してもよい。一般的に、中央部分２０Ａは、比較的軟質の材料（例えば、低い相対ショア硬度）を含んでもよく、端部キャップ３０Ａ，４０Ａに比べて圧縮性があってもよく（例えば、低い相対曲げ弾性率またはＥflex）、端部キャップは、端部キャップが犬により激しく噛まれる対象となり得るので、より耐久性のある材料を含んでもよい。例えば、中央部分は、１００Ａ以下のショア硬度を有してもよく、一方、端部キャップは、５０Ｄ以上のショア硬度を有してもよい。袋状体は、比重の小さい、例えば、１．０未満の、材料であってもよく、限定はしないが、超微細発泡体などの発泡材料で形成されてもよいことがさらに考えられる。
【００１１】
中央部分２０Ａは、動物が噛み具を拾い上げ、運ぶために使用されてもよい。一般的に、端部キャップより軟質でかつ圧縮性があることによって、中央部分はまた、代替の噛む経験を提供してもよい。端部キャップ３０Ａ，４０Ａは、幅広い種類の成形形状およびデザインであってよく、一方から他方へと異なってもよい。一般的に、端部キャップは、犬用噛み具の寿命を延ばすために、例えばポリアミドまたはナイロン（例えば、ナイロン−６，６またはナイロン６）またはポリウレタンなどの耐久性のあるプラスチック材料を含んでもよい。したがって、端部キャップのために使用される樹脂は、例えばナイロン−６，６、ポリエステルなどのような、約１５０，０００ｐｓｉ以上の曲げ弾性率を有する種々の工業熱可塑性物質を含むが、このような工業熱可塑性物質に限定されない。端部キャップはまた、噛む動作中にペットの歯肉をマッサージし、ペットの歯を磨くのに役立つ可能性がある、突出部、溝などを含む、口の健康的利益を提供する形状またはデザインを備えてもよい。
【００１２】
本明細書の犬の噛み具は、中央部分と端部キャップとの間として、２つ以上の材料を含んでもよく、材料は、ある物理的、光学的、官能的、機能的、または組成的特性が異なってもよい。物理的特性の差は、限定はしないが、硬度、引張り強度、弾性率、伸び、または圧縮強度の差を含むものと理解されてもよい。光学特性の差は、例えば、色、印、または透明性の差として本明細書で理解されてもよい。官能的特性の差は、誘引レベルの差として理解されてもよく、誘引物質は、本明細書における犬の噛み具に引付けられるように動物の嗅覚を刺激し得る任意の添加物として理解されてもよい。
【００１３】
図１は、本発明の例示的な実施形態の斜視図であり、動物用噛み具１０Ａは、端部キャップ３０Ａ，４０Ａを備え、中央柄２０Ａの少なくとも一部分は、ボールの一部分を際立たせる縫い目を含むベースボールの物理的デザインの特徴の少なくとも一部を含む。中央部分は、なおさらに、お気に入りのスポーツチームまたはスポーツ組織、商標などについての装飾またはロゴを含んでもよい。
【００１４】
中央部分が、ベースボールまたは他のスポーツボールの物理的特徴の少なくとも一部を含むとき、中央部分の外面が、スポーツで使用されるボールの以下の特徴、すなわち、縫い目、レーシング（ｌａｃｉｎｇ）、質感、装飾パターン、色、ディンプリング、形状、マーキング、および構成材料のうちの１つまたは複数を含み得ることが意味されていることは、本明細書において理解され得る。例えば、サッカーボールは、六角形パターンを有してもよく、テニスボールの外観は、フェルト外部カバーおよびインターロッキングダブルダンベルパターンでホワイトシームを提供してもよい。フェルトは、不綿布の場合、針穿孔および／または化学処理、ならびに、水分、熱、および圧力の印加によって共に結合した、艶消し繊維シートとして理解されてもよい。フェルトはまた、綿布の場合、織り方を識別することをほとんど不可能にするために、水分、熱、化学物質、および圧力の組み合わせによって収縮された材料として理解されてもよい。限定はしないが、ゴルフボール、ソフトボール、および／または、ＮＡＳＣＡＲ、ＩＲＬ、またはＦ−１レーシングカーを含む、他のスポーツ関連形状の物理的特徴の少なくとも一部が、本発明の中央部分に組み込まれてもよいことがさらに予想される。
【００１５】
図８は、図１の動物用噛み具を通して縦に切取った断面分解図である。この図は、噛むための比較的剛性があり耐久性がある端部キャップ４０Ａと、比較的軟質で圧縮可能な複合構造を有する中央部分２０Ａとを提供する本発明の１つの例示的な実施形態を図示する。この例示的な実施形態では、中央部分２０Ａは、エラストマの、またはゴムの袋状体２８Ａと、繊維質材料の外部層２６Ａとを備えてもよい。エラストマに対する参照は、５０〜１００％の中の全ての値および増分を含む５０〜１００％の回復率で伸長されると、５０％より大きい伸びを有し得る材料を含む材料として本明細書で理解されてもよい。エラストマはまた、室温（２５℃）より低いガラス遷移温度またはＴｇを有し、かつ、５０％より大きいアモルファス（非結晶）ドメインを有するポリマー材料を含んでもよい。
【００１６】
外部層は、特定のタイプのスポーツボールに似ているという真正性を、中央部分の感触および外観に与えるために、例えば、ベースボールの場合には皮革であってよく、または、テニスボールの場合にはフェルトであってよい。外部層はまた、複数の層を備え、繊維質層を袋状体の外面に容易に取り付けられない可能性がある場合、外部繊維質層を支持するために、例えば裏当て層７０（図９参照）を含んでもよい。繊維質材料は、比較的大きい長さ対幅比、例えば、１０００／１より大きい長さ対幅比を有するように形成され得り、また、シート材料の一部分または全てを形成し得る材料を意味するものと理解される。これらの材料は、限定はしないが、フェルト、スエード、綿布、不綿布、ニット、および皮革を含んでもよい。袋状体材料と繊維質外部層とのある組み合わせは、裏当て層の使用を必要としない可能性があることがさらに予想される。
【００１７】
先に述べたように、袋状体は、端部キャップと比較して、比較的軟質でかつ柔軟性があってもよい。１つの関連する例示的な実施形態では、袋状体は、袋状体２８Ａが、袋状体２８Ａの長手方向軸に対して形状が凹む内面を有するように成形されてもよい。したがって、このような袋状体は、柄から離間されてもよく、このような間隔は、柄の長さに沿って不均等であってもよい。噛み具の柄６４は、柄６４自体が、柄６４の外面に関して同心であってもよく、前記長手方向軸に沿った前記袋状体の内面は、前記柄の長手方向軸に沿って前記柄より凹んでいてもよい。これによって、犬用噛み具１０Ａの中央部分２０Ａが圧縮可能または圧搾可能であり、また、容易に曲げられるように、柄６４と袋状体２８Ａとの間にギャップ６０を画定してもよい。ギャップは、０．１２５〜１．５インチの範囲内の全ての値および増分を含む０．１２５〜１．５インチの範囲で柄から離間されてもよい。複数の層が中央部分２０Ａを構成する可能性がある場合、これらの層は、複合中央部分を形成するために、例えば、加熱、接着剤などによって互いに固着されてもよい。例えば、裏当て層は、外部層を袋状体に結合させ得る熱可塑性接着剤になってもよい。
【００１８】
同様に、図８に示されているのは、犬用噛み具１０Ａの端部キャップと中央部分とを共に取り付ける手段の１つの例示的な実施形態である。この実施形態では、柄６４は、１つの端部キャップ４０Ａと一体成形されてもよく、また、雄ねじ６６を有する端部を含んでもよい。他の端部キャップ３０Ａは、部品を置き換えるまたは交換したい場合に係合および分解を可能にする整合性のある雌ねじ６８を含んでもよい。
【００１９】
さらに、図８は、比較的剛性があり、かつ耐久性がある端部キャップから比較的軟質の中央部分を、動物が容易に分離させてしまうことを防止し得る特徴部を図示している。凹部６２は、柄６４の外側で端部キャップ３０Ａ、４０Ａの外面に形成されてもよく、中央部分２０Ａの端部に対して、図示された例では、エラストマ袋状体２８Ａと外部層２６Ａとの複合物に対して形状が相補的であってよい。凹部は、柄を中心に全周（３６０°）に延在してもよく、そして、中央部分の端部を覆い、端部が露出されることから保護してもよい。その後、共に組み立てられると、中央部分２０Ａの端部はそれぞれ、凹部６２内に位置し、動物にとって容易にアクセスできなくなってもよい。さらに、動物用噛み具１０Ａが、端部キャップの１つまたは両方を柄上にねじ込むことによって組み立てられる場合、ねじ込まれる部分は、こうしたねじ込み動作によって、中央部分が、圧縮され、凹部の中に押し込まれるような長さであってもよい。ねじ込まれる部分の長さはまた、袋状体２８Ａの内面と柄６４の外面との間の距離を増大させるのに役立ち得り、袋状体２８Ａの内面と柄６４の外面との間の距離を増大させることで、柄に対する中央部のより大きな相対的圧縮性を提供できる。
【００２０】
図２は、本発明の別の例示的な実施形態の斜視図であり、動物用噛み具１０Ｂは、端部キャップ３０Ｂ，４０Ｂを備え、中央柄２０Ｂの少なくとも一部分は、フットボールに似ており、ボールを掴むのに使用される質感およびレース（ｌａｃｅ）を含む。図３は、本発明の別の例示的な実施形態の斜視図であり、動物用噛み具１０Ｃは、端部キャップ３０Ｃ，４０Ｃを備え、中央柄２０Ｃの少なくとも一部分は、テニスボールの特徴の一部を含み、線維質外面を有する外部カバーを含む。中央部分２０Ｃは、例えばフェルト外部層などのテニスボール材料と、ダブルダンベルパターンの少なくとも一部分におけるホワイトストライピングとを含んでもよい。図４は、本発明の例示的な実施形態の斜視図であり、動物用噛み具１０Ｄは、端部キャップ３０Ｄ，４０Ｄを備え、中央柄２０Ｄの少なくとも一部分は、バスケットボールの特徴の一部を含み、溝を有する石目模様の外部掴み用表面を含む。
【００２１】
本発明の中央柄および端部キャップは、種々の方法で組み立てられてもよいし、取り付けられてもよい。好ましくは、端部キャップおよび柄の端部は、端部を柄に取り付けるのを補助する、例えば、成形された表面か、突出部／アンダーカットか、または凹部／隆起部などの相補的な特徴部を含む。例えば、柄および端部キャップは、機械的に、すなわち、例えば、ねじ、ボルト、ワッシャなど、または、図８に示すようなねじ込みによって締結されてもよい。図５は、本発明の例示的な実施形態の斜視図であり、動物用噛み具１０Ｅは、端部キャップ３０Ｅ，４０Ｅを備え、中央部分２０Ｅの少なくとも一部分は、中空のエラストマのまたはゴムのチューブを備え、チューブおよび端部キャップは、柄の端部の両方を通って突出するねじによって取り付けられている。図６は、図５の分解図であり、端部キャップのフランジ３６内の穴３４内に挿入され、かつ、中央部分２０Ｅ内の穴２４内に挿入され得る２つのねじ２２を図示している。穴２４および３４は、ねじ２２を受容するようにねじ山を切られてもよく、または、一対の柄５０が、中央部分２０Ｅの内部に配置され、柄が、ねじ２２を受容するためにねじ山を切られた穴５４を有してもよい。
【００２２】
図７は、端部キャップを軸に取り付ける別の方法を説明するのに使用されることになる、図１の柄６４および端部キャップ３０Ａの断面図である。１つの例示的な実施形態では、端部キャップ３０Ａおよび柄６４は、摩擦接合またはスナップフィットが可能となり得るように弾性または剛性が異なってもよい。こうした例では、端部キャップおよび柄は、例えば端部キャップ３０Ａの内部上の隆起部または溝などの特徴部３８が、例えば柄６４の端部の外部上の相補的な特徴部４８に係合するかまたは干渉することを可能にし得る公差でデザインされる。十分な力を使用すると、端部キャップおよび柄は、共に強制的に組み立てられ、特徴部３８，４８の間に生じるダイロック（ｄｉｅｌｏｃｋ）状況が、容易な分解を防止し得る。さらに、特徴部のいずれかは、柄と端部キャップとの間のより永久的な結合を確保するために接着剤でコーティングされてもよい。
【００２３】
端部キャップ３０Ａおよび柄６４または中央部分２０Ａはまた、部品のうちの１つを他の部品に接して成形（インサート成形）することによって組み立てられてもよい。例えば、柄６４は、プラスチック材料のための知られている溶融プロセスのうちの１つを使用し、それに続いて、柄または中央部分の端部をインジェクションモールド（または、他のプラスチック処理モールド）内に配置し、柄または中央部分の端部に接して端部キャップを形成することによって形成されてもよい。こうして、柄または中央部分および端部キャップは、共に溶融結合されてもよい。溶融結合が起こらないような不適合材料が、柄および端部キャップについて使用される場合、成形後に冷却すると、柄の端部にわたってシュリンクフィットが得られるように、収縮性が高い樹脂が端部キャップについて使用されてもよいことが予想される。やはり、例えばアンダーカット、フック、溝、またはさらに穴などの、柄の端部における特徴部が、こうした取付を補助し得る。
【００２４】
さらに、端部キャップおよび柄または中央部分が溶着プロセスによって取り付けられてもよく、部品の１つまたは両方が、溶融結合を共に提供するために、加熱か、スピンか、振動などを与えられてもよいことが予想される。これらの溶着プロセスは、限定はしないが、ホットプレート溶着、ホットガス溶着、振動溶着、超音波溶着、電磁誘導溶着、電子ビーム溶着、レーザ溶着、赤外線溶着、マイクロ波溶着、および無線周波数溶着を含んでもよい。柄または中央部分および端部キャップの形状が丸いため、本発明に従う１つの特定のタイプの溶着は、スピン溶着であり、部品、柄または端部キャップのうちの１つが、他の部品に対して高速で回転し、ついには、接触している表面のうちの一方が溶融し、冷却によって、両方の表面が固着してもよい。
【００２５】
最後に、先に述べた取付方法の任意の組み合わせが使用されて、端部キャップが柄または中央部分に取り付けられてもよいことが予想される。
本発明は、特定の例示的な実施形態を参照して述べられたが、このような例示的な実施形態が例示目的だけであることは当業者によって理解されるべきである。したがって、変更および変形は明らかであろうし、また、本発明の精神および均等な範囲から逸脱することなく行われてもよい。したがって、このような変更および均等物は、添付の特許請求の範囲に述べる本発明の範囲内にあると考えられるべきである。
【図１】
0005683269.tif 000002
【図２】
0005683269.tif 000003
【図３】
0005683269.tif 000004
【図４】
0005683269.tif 000005
【図５】
0005683269.tif 000006
【図６】
0005683269.tif 000007
【図７】
0005683269.tif 000008
【図８】
0005683269.tif 000009
【図９】
0005683269.tif 000010